(57)【要約】【課題】  本発明は、光ディスクにアクセスするピックアップヘッドのレーザー出力を適切に調整する方法を提供する。【解決手段】  光ディスクにアクセスするピックアップヘッド（ＰＵＨ）の出力調整方法を開示する。前記方法は、前記光ディスクにアクセスするために前記ＰＵＨにより利用される目標データ転送レートを識別する段階、前記目標データ転送レートに従い適切なレーザー出力を計算する段階、及び前記適切なレーザー出力で前記目標データ転送レートで、前記ＰＵＨにより前記光ディスクにアクセスする段階、を有する。【選択図】      図１
2007157321.tif 000002
【特許請求の範囲】
【請求項１】
光ディスクにアクセスするピックアップヘッド（ＰＵＨ）の出力調整方法であって、前記方法は、
前記光ディスクにアクセスするために前記ＰＵＨにより利用される目標データ転送レートを識別する段階、
前記目標データ転送レートに従い適切なレーザー出力を計算する段階、及び
前記適切なレーザー出力で前記目標データ転送レートで、前記ＰＵＨにより前記光ディスクにアクセスする段階、
を有する、ピックアップヘッドの出力調整方法。
【請求項２】
前記目標データ転送レートに従い適切なレーザー出力を計算する段階は、
前記目標データ転送レートが第１のデータ転送レートより大きくない場合、前記適切なレーザー出力を第１のレーザー出力として直接、設定する段階、及び
前記目標データ転送レートが前記第１のデータ転送レート及び第２のデータ転送レートの間である場合、前記適切なレーザー出力を前記第１のレーザー出力及び第２のレーザー出力の間に決定する段階、
を有し、前記第１のレーザー出力は、前記第１のデータ転送レートに対応し、前記第２のレーザー出力は、前記第２のデータ転送レートに対応する、請求項１記載の方法。
【請求項３】
前記目標データ転送レートが前記第１のデータ転送レート及び前記第２のデータ転送レートの間である場合、直線補間が実行され、前記適切なレーザー出力を前記第１のレーザー出力及び前記第２のレーザー出力の間に決定する、請求項２記載の方法。
【請求項４】
前記第１のデータ転送レートより大きくない如何なる識別された目標データ転送レートに対応する前記第１のレーザー出力は、固定されている、請求項２記載の方法。
【請求項５】
前記第１のデータ転送レートは、前記ＰＵＨが前記第１のレーザー出力で前記光ディスクに正しくアクセスし得る最大データ転送レートであり、及び前記第２のレーザー出力は、前記ＰＵＨが前記第２のデータ転送レートで前記光ディスクに正しくアクセスし得る最大レーザー出力である、請求項２記載の方法。
【請求項６】
前記ＰＵＨは、所定のモーター制御モード下で前記光ディスクにアクセスし、及び前記光ディスクにアクセスするために前記ＰＵＨにより利用される目標データ転送レートを識別する段階は、
前記ＰＵＨにより現在アクセスされている、前記光ディスク上の現在位置を検出する段階、及び
前記現在位置及び前記所定のモーター制御モードに従い、前記目標データ転送レートを決定する段階、
を有する、請求項１記載の方法。
【請求項７】
前記光ディスクにアクセスするために前記ＰＵＨにより利用される前記目標データ転送レートを識別する段階は、前記ＰＵＨは目標位置へ移動するよう要求されていると示すシークコマンドを受信すると、実行され、
前記目標データ転送レートに従い前記適切なレーザー出力を計算する段階は、前記目標データ転送レートが第１のデータ転送レートより大きくない場合、前記適切なレーザー出力を第１のレーザー出力として直接設定する段階、及び前記適切なレーザー出力で前記目標データ転送レートで、前記ＰＵＨにより前記光ディスクにアクセスする段階の前に、前記方法は、
前記ＰＵＨが前記光ディスクに現在アクセスしている現在のレーザー出力を、前記第１のレーザー出力、前記適切なレーザー出力、又は両者に従い調整する段階、及び
前記ＰＵＨを前記目標位置へ移動する段階、
を有する、請求項１記載の方法。
【請求項８】
前記第１のレーザー出力は、固定されている、請求項７記載の方法。
【請求項９】
前記第１のデータ転送レートは、前記ＰＵＨが前記第１のレーザー出力で前記光ディスクに正しくアクセスし得る最大データ転送レートである、請求項７記載の方法。
【請求項１０】
前記ＰＵＨは、所定のモーター制御モード下で前記光ディスクにアクセスし、前記光ディスクにアクセスするために前記ＰＵＨにより利用される前記目標データ転送レートを識別する段階は、
前記目標位置及び前記所定のモーター制御モードに従い、前記目標データ転送レートを決定する段階、
を有する、請求項７記載の方法。
【請求項１１】
光ディスク情報再生装置であって、
光ディスクにアクセスするピックアップヘッド（ＰＵＨ）、
前記ＰＵＨと電気的に結合され、前記光ディスクにアクセスするために前記ＰＵＨにより利用される目標データ転送レートを識別する決定装置、
前記決定装置と電気的に結合され、前記目標データ転送レートに従い適切なレーザー出力を計算する計算装置、及び
前記ＰＵＨ、前記決定装置、及び前記計算装置と電気的に結合され、前記目標データ転送レートで前記適切なレーザー出力で前記光ディスクにアクセスするよう前記ＰＵＨを制御する制御装置、を有する、光ディスク情報再生装置。
【請求項１２】
前記計算装置は、前記目標データ転送レートが第１のデータ転送レートより大きくない場合、前記適切なレーザー出力を第１のレーザー出力として直接、設定し、及び
前記計算装置は、前記目標データ転送レートが前記第１のデータ転送レート及び第２のデータ転送レートの間である場合、前記適切なレーザー出力を前記第１のレーザー出力及び第２のレーザー出力の間に決定し、
前記第１のレーザー出力は、第１のデータ転送レートに対応し、前記第２のレーザー出力は、第２のデータ転送レートに対応する、請求項１１記載の装置。
【請求項１３】
前記計算装置は、前記目標データ転送レートが前記第１のデータ転送レート及び前記第２のデータ転送レートの間である場合、直線補間を実行し、前記適切なレーザー出力を前記第１のレーザー出力及び前記第２のレーザー出力の間に決定する、請求項１２記載の装置。
【請求項１４】
前記第１のデータ転送レートより大きくない如何なる識別された目標データ転送レートに対応する前記第１のレーザー出力は、固定されている、請求項１２記載の装置。
【請求項１５】
前記第１のデータ転送レートは、前記ＰＵＨが前記第１のレーザー出力で前記光ディスクに正しくアクセスし得る最大データ転送レートであり、及び前記第２のレーザー出力は、前記ＰＵＨが前記第２のデータ転送レートで前記光ディスクに正しくアクセスし得る最大レーザー出力である、請求項１２記載の装置。
【請求項１６】
前記ＰＵＨは、所定のモーター制御モード下で前記光ディスクにアクセスし、及び
前記決定装置は、前記ＰＵＨにより現在アクセスされている前記光ディスク上の現在位置を検出し、そして次に、前記現在位置及び前記所定のモーター制御モードに従い、前記目標データ転送レートを決定する、請求項１１記載の装置。
【請求項１７】
前記ＰＵＨ及び前記制御装置と接続された移動機構を更に有し、
前記計算装置は、前記目標データ転送レートが第１のデータ転送レートより大きくない場合、前記適切なレーザー出力を第１のレーザー出力として直接設定し、及び
前記制御装置は、前記ＰＵＨは目標位置へ移動するよう要求されていると示すシークコマンドを受信し、前記第１のレーザー出力、前記適切なレーザー出力、又は両者に従い、前記ＰＵＨが前記光ディスクに現在アクセスしている現在のレーザー出力を調整し、そして次に前記ＰＵＨを前記目標位置へ移動するよう前記移動機構を制御する、請求項１１記載の装置。
【請求項１８】
前記第１のレーザー出力は、固定されている、請求項１７記載の装置。
【請求項１９】
前記第１のデータ転送レートは、前記ＰＵＨが前記第１のレーザー出力で前記光ディスクに正しくアクセスし得る最大データ転送レートである、請求項１７記載の装置。
【請求項２０】
前記ＰＵＨは、所定のモーター制御モード下で前記光ディスクにアクセスし、及び
前記決定装置は、前記目標位置及び前記所定のモーター制御モードに従い、前記目標データ転送レートを決定する、請求項１７記載の装置。
【発明の詳細な説明】
【技術分野】
【０００１】
本発明は、ピックアップヘッドの制御に関連し、より詳細には、ピックアップヘッドの光ディスクのアクセス方法、及び同方法を利用した光ディスク情報再生装置に関する。
【０００２】
本願明細書は、参照されることにより、２００５年１２月６日に提出された特許文献１の利益を請求する。
【背景技術】
【０００３】
デジタル・バーサタイル・ディスク（ＤＶＤ）レコーダーのような光ディスク情報再生装置では、光ディスクのデジタルデータを読み出す及び／又は記録するために、レーザーが一般的に用いられている。光ディスク情報再生装置が、不十分なレーザー出力で光ディスクにアクセスする場合、光ディスクから反射される信号の品質は悪い。また、光ディスク情報再生装置が、過剰なレーザー出力で光ディスクにアクセスする場合、光ディスクは故障し、光ディスクのデジタルデータは消去され得る。
【０００４】
更に、データ転送レートは、ピックアップヘッドがある位置から別の位置へ移動する時、変化し得る。異なるデータ転送レートは、ピックアップヘッドと光ディスクの間の異なる相対線形速度に対応する。従って、あるデータ転送レートで光ディスクにアクセスするピックアップヘッドのレーザー出力は、ピックアップヘッドが別のデータ転送レートで光ディスクにアクセスするには低過ぎる又は高過ぎる場合がある。
【特許文献１】米国特許仮出願第６０／５９７４９６号明細書
【特許文献２】米国特許第４８１３０３４号明細書
【特許文献３】米国特許第４９３７８０９号明細書
【特許文献４】米国特許第５５８６０９９号明細書
【特許文献５】米国特許第６５４５９６４号明細書
【発明の開示】
【発明が解決しようとする課題】
【０００５】
従って、光ディスクにアクセスするピックアップヘッドのレーザー出力を適切に調整する改善された方法は、非常に有益である。
【課題を解決するための手段】
【０００６】
本発明は、光ディスクにアクセスするピックアップヘッド（ＰＵＨ）の出力調整方法を開示する。本方法は、光ディスクにアクセスするためにＰＵＨにより利用される目標データ転送レートを識別する段階、前記目標データ転送レートに従い適切なレーザー出力を計算する段階、及び前記適切なレーザー出力で前記目標データ転送レートで前記ＰＵＨにより前記光ディスクにアクセスする段階、を有する。
【０００７】
本発明はまた、光ディスク情報再生装置を開示する。本装置は、光ディスクにアクセスするピックアップヘッド（ＰＵＨ）、前記ＰＵＨと電気的に結合され、前記光ディスクにアクセスするために前記ＰＵＨにより利用される目標データ転送レートを識別する決定装置、前記決定装置と電気的に結合され、前記目標データ転送レートに従い適切なレーザー出力を計算する計算装置、及び前記ＰＵＨ、前記決定装置、及び前記計算装置と電気的に結合され、前記目標データ転送レートで前記適切なレーザー出力で前記光ディスクにアクセスするよう前記ＰＵＨを制御する制御装置、を有する。
【０００８】
本発明のこれら及び他の目的は、以下の種々の図及びグラフに説明された好適な実施例の詳細な説明を読むことにより、当業者に明らかである。
【発明を実施するための最良の形態】
【０００９】
説明及び請求項を通じて、特定の構成要素を参照するため特定の用語が用いられる。当業者が理解するように、電子機器製造者は、構成要素を異なる名称で参照し得る。本願明細書は、名称が異なるが機能が同じ構成要素を区別しない。以下の記載及び請求項では、用語「含む」及び「有する」は、自由に用いられ、従って「包含する、しかし限定しない」という意味に解釈されるべきである。また、用語「結合する」は、間接又は直接の電気接続のどちらも意味する。従って、ある装置が別の装置に結合される場合、接続は、直接の電気接続を通じ、又は他の装置及び接続を介した間接の電気接続を通じても良い。
【００１０】
図１は、本発明の実施例による光ディスク情報再生装置１０１を示すブロック図である。光ディスク情報再生装置１０１は、ピックアップヘッド（ＰＵＨ）１０２、決定装置１０３、計算装置１０４、制御装置１０５、及び移動機構１０６を有する。図１に示されるように、決定装置１０３は、ＰＵＨ１０２と電気的に結合される。計算装置１０４は、決定装置１０３と電気的に結合される。制御装置１０５は、ＰＵＨ１０２、決定装置１０３及び計算装置１０４と電気的に結合される。そして移動機構１０６は、ＰＵＨ１０２及び制御装置１０５と接続される。従って、光ディスク情報再生装置１０１は、ＰＵＨ１０２を利用し、所定のモーター制御モード下で、光ディスク９０１にアクセスする。標準的に、所定のモーター制御モードは、光ディスク情報再生装置１０１の設計に従い、角速度一定（ＣＡＶ）モード、ゾーン角速度一定（ＺＣＡＶ）モード、又は部分角速度一定（ＰＣＡＶ）モードであり得る。移動機構１０６は、良く知られている構成要素であり、ＰＵＨ１０２を光ディスク９０１上で移動するために用いられる。留意すべき点は、光ディスク情報再生装置１０１は、本発明に関連する構成要素だけでなく、より多くの構成要素を有することである。光ディスク情報再生装置１０１は、図１に示される。
【００１１】
図２は、トラッキングコマンド下で光ディスク９０１にアクセスするＰＵＨ１０２の、出力調整方法のフローチャートである。図２に示されるように、方法は、以下の段階を有する。
【００１２】
段階５０１は、ピックアップヘッド（ＰＵＨ）により現在アクセスされている、光ディスク上の現在位置を検出する。
【００１３】
段階５０６は、現在位置及び所定のモーター制御モードに従い、目標データ転送レートを決定する。
【００１４】
段階５１１は、目標データ転送レートに従い、適切なレーザー出力を計算する。
【００１５】
段階５１６は、ＰＵＨにより、目標データ転送レートで適切なレーザー出力で、光ディスクにアクセスする。
【００１６】
本発明の出力調整方法を用い、ＰＵＨ１０２のレーザー出力を調整する動作は、以下に詳細に記載される。
【００１７】
図３は、ＰＵＨ１０２の、光ディスク９０１にアクセスする適切なレーザー出力及びデータ転送レートの間の特性曲線を示す図である。特性曲線は、開始点Ｐ１０から開始し、転換点Ｐ１１まで水平に移動し、そして終了点Ｐ１２まで斜め上方へ移動する。図３に示されるように、第１のレーザー出力Ｌ１１は、転換点Ｐ１１における第１のデータ転送レートＤ１１に対応する。また第２のレーザー出力Ｌ１２は、終了点Ｐ１２における第２のデータ転送レートＤ１２に対応する。更に、第２のレーザー出力Ｌ１２は、第１のレーザー出力Ｌ１１より大きい。また、第２のデータ転送レートＤ１２は、第１のデータ転送レートＤ１１より大きい。この実施例では、データ転送レートＤ１０、Ｄ１１、Ｄ１２は、それぞれ１倍、６倍、１６倍に対応する。ここで、４．３２１８ＭＢ／ｓのデータ転送レートは、標準的に１倍として定められる。第１のデータ転送レートＤ１１は、６倍であり、４．３２１８ＭＢ／ｓの６倍、つまり２５．９３０８ＭＢ／ｓを表し、及び対応する第１のレーザー出力Ｌ１１は１．２ｍＷである。第２のデータ転送レートＤ１２は、１６倍、つまり６９．１４８８ＭＢ／ｓを表し、及び対応する第２のレーザー出力Ｌ１２は３．０ｍＷである。これは、しかしながら、本発明を限定するものではない。
【００１８】
図３の特性曲線を作るため、第１のレーザー出力Ｌ１１は、先ず、ＰＵＨ１０２が第１のレーザー出力Ｌ１１を利用し光ディスク９０１全体にアクセスする間、無線周波数（ＲＦ）信号、トラッキングエラー（ＴＥ）信号、フォーカシングエラー（ＦＥ）信号、及び第１のレーザー出力Ｌ１１に従い生成される他の必要な信号が、確実に適切であるよう、実験的経験により決定される。次に、第１のデータ転送レートＤ１１は、ＰＵＨ１０２が所定の第１のレーザー出力Ｌ１１で光ディスク９０１に依然として正しくアクセスし得る最大データ転送レートとして決定される。従って、第２のデータ転送レートＤ１２は、光ディスク情報再生装置１０１の仕様により予め決定された最大データ転送レートである。最後に、第２のレーザー出力Ｌ１２は、ＰＵＨ１０２が第２のデータ転送レートＤ１２で光ディスク９０１に依然として正しくアクセスし得る最大レーザー出力として決定される。
【００１９】
光ディスク情報再生装置１０１が、以上に説明された、ＰＵＨ１０２のレーザー出力調整方法をトラッキングコマンド下でどのように適用するかに関し、以下に詳細に記載される。更に、ＰＵＨ１０２が光ディスク９０１にアクセスする所定のモーター制御モードに従い、３個の状況がある。つまり、ＣＡＶモード、ＺＣＡＶモード及びＰＣＡＶモードである。
【００２０】
図４と関連して、図１乃至図３を参照する。図４は、ＣＡＶモード下のデータ転送レート及び半径の間の特性曲線を示す図である。データ転送レートは、光ディスク９０１の線速度と比例し、光ディスク９０１が角速度一定で回転する場合、６倍から１２倍の範囲にある。図４に示されるように、ＣＡＶモード下では、ＰＵＨ１０２は、光ディスク９０１の最も内側の位置、つまり０に、６倍のデータ転送レートでアクセスし、光ディスク９０１の最も外側の位置、つまり０ｘ２２１０００に、１２倍の別のデータ転送レートでアクセスする。トラッキングコマンド下でＰＵＨ１０２のレーザー出力を調整するため、決定装置１０３は、先ず、ＰＵＨ１０２により現在アクセスされている光ディスク９０１上の現在位置を検出する（段階５０１）。この実施例では、検出された現在位置は、０ｘ８００００である。次に、決定装置１０３は、現在位置、つまり０ｘ８００００及び所定のモーター制御モード、つまりＣＡＶモードに従い、目標データ転送レートを決定する（段階５０６）。具体的には、目標データ転送レートは、７．４倍、つまり３１．９８１３ＭＢ／ｓとして、次の式を利用して計算される。
【００２１】
【数１】
2007157321.tif 000003
更に、計算装置１０４は、目標データ転送レート、つまり７．４倍に従い、図３に示される特性曲線を参照することにより、適切なレーザー出力を計算する（段階５１１）。具体的には、目標データ転送レート、つまり７．４倍は、第１のデータ転送レートＤ１１、つまり６倍及び第２のデータ転送レートＤ１２、つまり１６倍の間である。従って、この実施例では、計算装置１０４は、直線補間を実行し、第１のレーザー出力Ｌ１１、つまり１．２ｍＷ及び第２のレーザー出力Ｌ１２、つまり３．０ｍＷの間の適切なレーザー出力を１．４５ｍＷに、次の式を利用して決定する。
【００２２】
【数２】
2007157321.tif 000004
留意すべき点は、計算装置１０４は、直線補間を実行し、第１のレーザー出力Ｌ１１及び第２のレーザー出力Ｌ１２の間の適切なレーザー出力を決定するが、これは本発明を限定する意味ではないことである。例えば、別の実施例では、計算装置１０４は、第１のレーザー出力Ｌ１１及び第２のレーザー出力Ｌ１２と関連するテーブルを用い適切なレーザー出力を決定し得る。更に、更に別の実施例では、図３の転換点Ｐ１１から終了点Ｐ１２までの特性曲線は、ジグザグ形又は他の如何なる可能な形であり得る。また、計算装置１０４は、従って、それに応じて特性曲線を参照することにより、適切なレーザー出力を決定する。
【００２３】
最後に、制御装置１０５は、ＰＵＨ１０２を制御し、目標データ転送レート、つまり７．４倍で、適切なレーザー出力、つまり１．４５ｍＷで光ディスク９０１にアクセスする（段階５１６）。処理はこの時点で終了する。従って、この実施例では、適切なレーザー出力は、読み出し出力としてＰＵＨ１０２により利用され、光ディスク９０１の現在位置に予め記録された情報を読み出す。開示された方法は、しかしながら、読み出し出力の決定に限定されない。同一の概念を利用した他の代替の設計が可能であり、本発明の範囲に包含される。
【００２４】
図５と関連して、図１乃至図３を参照する。図５は、ＺＣＡＶモード下のデータ転送レート及び半径の間の特性曲線を示す図である。図５に示されるように、ＺＣＡＶモード下で、ＰＵＨ１０２は、固定データ転送レート、例えば６倍で、光ディスク９０１の何処にでもアクセスし得る。従って、この場合、段階５０１は、スキップされ得る。そして段階５０６は、「光ディスクにアクセスするピックアップヘッドにより利用される目標データ転送レートを識別する段階」に変換される。トラッキングコマンド下でＰＵＨ１０２のレーザー出力を調整するため、決定装置１０３は、先ず、光ディスク９０１にアクセスするためＰＵＨ１０２により利用されているデータ転送レートを識別する。この実施例では６倍である（段階５０６）。  次に、計算装置１０４は、目標データ転送レート、つまり６倍に従い、図３に示される特性曲線を参照することにより、適切なレーザー出力を計算する（段階５１１）。従って、６倍の目標データ転送レートは、１．２ｍＷのレーザー出力に対応する。従って、計算装置１０４は、適切なレーザー出力を１．２ｍＷとなるよう決定する。
【００２５】
最後に、制御装置１０５は、ＰＵＨ１０２を制御し、目標データ転送レート、つまり６倍で適切なレーザー出力、つまり１．２ｍＷで光ディスク９０１にアクセスする（段階５１６）。処理はこの時点で終了する。従って、この実施例では、適切なレーザー出力は、ＰＵＨ１０２により読み出し出力として利用され、光ディスク９０１に予め記録された情報を読み出す。これは、しかしながら、本発明を限定するものではない。
【００２６】
図６は、ＰＣＡＶモード下のデータ転送レート及び半径の間の特性曲線を示す図である。図６に示されるように、ＰＣＡＶモードは、基本的にＣＡＶモード及びＺＣＡＶモードの混合モードである。及び従って光ディスク９０１は、ＣＡＶ領域Ａ１１及びＺＣＡＶ領域Ａ１２をそれぞれ有する。ＣＡＶ領域Ａ１１のデータ転送レートは、６倍から１２倍の範囲に含まれる。またＺＣＡＶ領域Ａ１２のデータ転送レートは、１２倍に固定される。トラッキングコマンド下でＰＵＨ１０２のレーザー出力を調整するため、決定装置１０３は、先ず、ＰＵＨ１０２により現在アクセスされている光ディスク９０１上の現在位置を検出する（段階５０１）。検出された現在位置がＣＡＶ領域Ａ１１にある場合、ＣＡＶモードの以上の説明と同一の処理が、実行される。従って簡単のため、ここでの説明を省略する。同様に、検出された現在位置がＺＣＡＶ領域Ａ１２にある場合、ＺＣＡＶモードの以上の説明と同一の処理が、実行される。従って簡単のため、ここでの説明を省略する。
【００２７】
図７は、シークコマンド下で光ディスク９０１にアクセスするＰＵＨ１０２の、出力調整方法のフローチャートである。図７に示されるように、方法は、以下の段階を有する。
【００２８】
段階６０６は、目標位置及び所定のモーター制御モードに従い、目標データ転送レートを決定する。
【００２９】
段階６１１は、目標データ転送レートに従い、適切なレーザー出力を計算する。
【００３０】
段階６１４は、ＰＵＨが光ディスクに現在アクセスしている現在のレーザー出力を、第１のレーザー出力に調整する。
【００３１】
段階６１５は、ＰＵＨを目標位置へ移動する。及び
段階６１６は、目標データ転送レートで適切なレーザー出力でＰＵＨにより光ディスクにアクセスする。
【００３２】
光ディスク情報再生装置１０１が、シークコマンド下で、以上に説明された、ＰＵＨ１０２のレーザー出力調整方法をどのように適用するかに関し、以下に詳細に記載する。更に、ＰＵＨ１０２が光ディスク９０１にアクセスする所定のモーター制御モードに従い、３個の状況がある。つまり、ＣＡＶモード、ＺＣＡＶモード及びＰＣＡＶモードである。
【００３３】
図１、３，４及び７を参照する。ＣＡＶモード下では、ＰＵＨ１０２は、光ディスク９０１の最も内側の位置、つまり０に、６倍のデータ転送レートでアクセスし、光ディスク９０１の最も外側の位置、つまり０ｘ２２１０００に、１２倍の別のデータ転送レートでアクセスする。シークコマンド下で（つまり、制御装置１０５が、ＰＵＨ１０２は目標位置へ移動するよう要求されていることを示すシークコマンドを受信した場合）ＰＵＨ１０２のレーザー出力を調整するため、決定装置１０３は、目標位置及び所定のモーター制御モードに従い、目標データ転送レートを決定する（段階６０６）。この実施例では、シークコマンドにより示された目標位置は、０ｘ１８００００であり、所定のモーター制御モードは、ＣＡＶモードである。従って、目標データ転送レートは、１０．２倍、つまり４４．０８２４ＭＢ／ｓとして、次の式を利用して計算される。
【００３４】
【数３】
2007157321.tif 000005
次に、計算装置１０４は、目標データ転送レート、つまり１０．２倍に従い、図３に示される特性曲線を参照することにより、適切なレーザー出力を計算する（段階６１１）。具体的には、目標データ転送レート、つまり１０．２倍は、第１のデータ転送レートＤ１１、つまり６倍及び第２のデータ転送レートＤ１２、つまり１６倍の間である。従って、計算装置１０４は、直線補間を実行し、第１のレーザー出力Ｌ１１、つまり１．２ｍＷ及び第２のレーザー出力Ｌ１２、つまり３．０ｍＷの間の適切なレーザー出力を、１．９６ｍＷになるよう、次の式を利用して決定する。
【００３５】
【数４】
2007157321.tif 000006
計算された適切なレーザー出力、つまり１．９６ｍＷは、この時点で将来の参照のために格納される。次に、制御装置１０５は、ＰＵＨ１０２が光ディスク９０２を現在アクセスしている現在のレーザー出力を、第１のレーザー出力Ｌ１１、つまり１．２ｍＷに調整する（段階６１４）。そして次に、制御装置１０５は、移動機構１０６を制御し、ＰＵＨ１０２を目標位置、つまり０ｘ１８００００へ移動する（段階６１５）。留意すべき点は、別の実施例では、段階６１４で、制御装置１０５は、ＰＵＨ１０２が光ディスク９０２を現在アクセスしている現在のレーザー出力を、適切なレーザー出力、つまり１．９６ｍＷに調整し得ることである。更に、更に別の実施例では、段階６１４で、制御装置１０５は、ＰＵＨ１０２が光ディスク９０２を現在アクセスしている現在のレーザー出力を、第１のレーザー出力Ｌ１１、つまり１．２ｍＷ、及び適切なレーザー出力、つまり１．９６ｍＷに関連する式から引き出される他の値に調整し得ることである。
【００３６】
最後に、ＰＵＨ１０２が目標位置へ移動した後、制御装置１０５は、ＰＵＨ１０２を制御し、目標データ転送レート、つまり１０．２倍で、適切なレーザー出力、つまり１．９６ｍＷで光ディスク９０１にアクセスする（段階６１６）。処理はこの時点で終了する。従って、この実施例では、適切なレーザー出力は、ＰＵＨ１０２により読み出し出力として利用され、光ディスク９０１上の目標位置に予め記録された情報を読み出す。これは、しかしながら、本発明を限定するものではない。
【００３７】
留意すべき点は、他の実施例では、目標データ転送レートがＤ１０からＤ１１の範囲に包含される場合、固定されたレーザー出力（つまり、第１のレーザー出力Ｌ１１）は、直接適用される。言い換えると、目標データ転送レートが、トラッキング又はシーク制御下で、以上に説明された範囲、Ｄ１０からＤ１１の間で変化する場合（つまり、目標データ転送レートがＤ１１より大きくない場合）、如何なるレーザー出力切り替え／調整も必要ない。
【００３８】
ＣＡＶモード下のシーク制御に関する以上の記載を読むと、当業者は、ＺＣＡＶモード下のシーク動作を簡単に理解し得る。従って、これ以上の記載は簡単のため省略される。更に、ＰＣＡＶモード下のシーク制御に関し、制御装置１０５が、ＰＵＨ１０２は目標位置へ移動するよう要求されていることを示すシークコマンドを受信した場合、制御装置１０５は、先ず、どの領域に目標位置があるかを検査する。図６を参照する。目標位置がＣＡＶ領域Ａ１１にある場合、以上の説明と同一の処理がＣＡＶモードに対し実行される。従って簡単のため、ここでの説明を省略する。同様に、目標位置がＺＣＡＶ領域Ａ１２にある場合、同一の処理が、ＺＣＡＶモードに対し実行される。従って簡単のため、ここでの説明を省略する。
【００３９】
留意すべき点は、決定装置１０３、計算装置１０４、及び制御装置１０５は、個別のハードウェア構成要素として図１に示されるが、これは、本発明を限定するものではない。例えば、決定装置１０３、計算装置１０４、又は制御装置１０５の機能は、設定可能なコードを用いることにより実施され得る。前述の出力調整方法は、従って、ソフトウェア、つまり制御装置１０５にアクセス可能な如何なる記憶装置に格納されたファームウェアにより実施され得る。記憶装置は、スタティック・ランダム・アクセス・メモリー（ＳＲＡＭ）又は適切な場合、如何なる他の種類のメモリーであり得る。更に、制御装置１０５は、ファームウェアを実行し上述の処理を実行するために用いられるマイクロプロセッサーであり得る。
【００４０】
留意すべき点は、光ディスク情報再生装置１０１が、読み出し専用光ディスクドライブ、光ディスク記録装置、光ディスクコンボドライブ、又は如何なる他の種類の光ディスクドライブであり得ることである。更に、以上の実施例は、ＰＵＨ１０２が光ディスク９０１にアクセスするＣＡＶモード、ＺＣＡＶモード、及びＰＣＡＶモードを開示したが、実施例はこれらモーター制御モード下の動作に限定されない。つまり、以上の本発明の好適な実施例で開示された２つの方法はまた、動的なレーザー出力調整を必要とする他のモーター制御モード下で、ＰＵＨを利用し光ディスクにアクセスする別の光ディスク情報再生装置向けに、効果的且つ実現可能な解決法である。
【００４１】
本発明では、レーザー出力は、トラッキングコマンド下で光ディスクにアクセスするピックアップヘッドの目標データ転送レートに基づき適切に調整される。これにより、有意に高いデータ転送レートが利用される場合でも、光ディスク上の情報の正しいアクセスが保証される。
【００４２】
更に、本発明では、ピックアップヘッドが光ディスクに現在アクセスしている現在のレーザー出力は、ピックアップヘッドが目標位置へ移動する前に、固定された低レーザー出力に調整される。これにより、レーザー出力が節約される。更に、ＲＦ信号、ＴＥ信号、ＦＥ信号、又はピックアップヘッドがある位置から別の位置へ移動する期間の間の、つまりシーク動作中の、固定低レーザー出力に基づき生成される他の要求される信号は、より信頼度が高く及び従来技術で利用されている非固定レーザー出力による更なる変更又は較正から免除され得る。更に、レーザー出力は、ピックアップヘッドが目標位置へ移動した後、光ディスク上の目標位置の情報にアクセスするため、ピックアップヘッドの目標データ転送レートに基づき適切に調整される。これにより、有意に高いデータ転送レートが利用される場合でも、光ディスク上の情報の正しいアクセスが保証される。
【００４３】
当業者は、本発明の教示を守りつつ、装置及び方法の多くの変形及び代替がなされ得ることを直ちに理解するだろう。従って、以上の開示は、特許請求の範囲の境界及び範囲によってのみ限定されると見なされるべきである。
【図面の簡単な説明】
【００４４】
【図１】本発明の実施例による光ディスク情報再生装置を示すブロック図である。
【図２】トラッキングコマンド下で光ディスクにアクセスするピックアップヘッド（ＰＵＨ）のための、出力調整方法のフローチャートである。
【図３】光ディスクにアクセスするＰＵＨに適したレーザー出力及びデータ転送レートの間の特性曲線を示す図である。
【図４】ＣＡＶモード下のデータ転送レート及び半径の間の特性曲線を示す図である。
【図５】ＺＣＡＶモード下のデータ転送レート及び半径の間の特性曲線を示す図である。
【図６】ＰＣＡＶモード下のデータ転送レート及び半径の間の特性曲線を示す図である。
【図７】シークコマンド下で光ディスクにアクセスするＰＵＨの、出力調整方法のフローチャートである。
【符号の説明】
【００４５】
１０１  光ディスク情報再生装置
１０２  ピックアップヘッド（ＰＵＨ）
１０３  決定装置
１０４  計算装置
１０５  制御装置
１０６  移動機構
９０１  光ディスク
【図１】
2007157321.tif 000007
【図２】
2007157321.tif 000008
【図３】
2007157321.tif 000009
【図４】
2007157321.tif 000010
【図５】
2007157321.tif 000011
【図６】
2007157321.tif 000012
【図７】
2007157321.tif 000013